【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
リードイン領域、データ領域、リードアウト領域を含む高密度光ディスクであって、
前記リードイン領域に記録されたデータの最小マーク又は最小スペースの長さが前記データ領域に記録されるデータの最小マーク又は最小スペースの長さより長いことを特徴とする高密度光ディスク。
【請求項２】
前記リードイン領域に記録されたデータの最小マーク又は最小スペースの長さは、レーザービームスポットの有効直径より長いか、又は同じであることを特徴とする請求項１に記載の高密度光ディスク。
【請求項３】
前記リードアウト領域には、前記リードイン領域に記録されたデータが少なくとも一つ以上重複記録されていることを特徴とする請求項１に記載の高密度光ディスク。
【請求項４】
前記リードイン領域に記録されたデータの最小マーク又は最小スペースの長さは、前記データ領域に記録されたデータの最小マーク又は最小スペースの長さの少なくとも２倍であることを特徴とする請求項１に記載の高密度光ディスク。
【請求項５】
前記リードイン領域とデータ領域のいずれか又は双方のデータの最小マーク又は最小スペースに関する情報が記録されている特定領域をさらに含むことを特徴とする請求項１に記載の高密度光ディスク。
【請求項６】
前記光ディスクの特定領域はＢＣＡであることを特徴とする請求項１に記載の高密度光ディスク。
【請求項７】
（ａ）リードイン領域とリードアウト領域のいずれか又は双方に記録されたデータを読むための準備過程でスピンドルモーターの回転速度を検出して、前記検出された回転速度とあらかじめ設定された基準回転速度を比較する段階と、
（ｂ）前記１段階の結果を基にして、前記リードイン領域とリードアウト領域のいずれか又は双方に記録されたデータの再生のための第１又は第２の再生処理方法を適用する段階とを有する高密度光ディスクの再生又は記録方法。
【請求項８】
前記（ｂ）段階は、前記検出された回転速度が前記基準回転速度より大きい場合前記リードイン領域とリードアウト領域のいずれか又は双方に記録されたデータの再生のための第１の再生処理方法を適用する段階を有することを特徴とする請求項７に記載の高密度光ディスクの再生又は記録方法。
【請求項９】
（ｃ）前記リードイン領域とリードアウト領域のいずれか又は双方に記録されたすべてのデータを読み込んだ場合、ユーザーデータ領域に記録されたデータの再生のための前記第２の再生処理方法を適用する段階をさらに含むことを特徴とする請求項７に記載の高密度光ディスクの再生又は記録方法。
【請求項１０】
（ａ）リードイン領域とリードアウト領域のいずれか又は双方とユーザーデータ領域に記録されたデータの最小マーク又は最小スペースに関する情報を特定領域から読み込んで相互に比較する段階と、
（ｂ）前記（ａ）段階の結果を基にして、前記リードイン領域とリードアウト領域のいずれか又は双方又はユーザーデータ領域に記録されたデータの再生のための再生処理方法を決定する２段階とを有する高密度光ディスクから又はその光ディスクへの再生又は記録方法。
【請求項１１】
（ｃ）前記読み込んだ情報に基づいて、リードイン領域とリードアウト領域のいずれか又は双方に記録されたデータの最小マーク又は最小スペースがユーザーデータ領域に記録されたデータの最小マーク又は最小スペースより長い場合、前記リードイン領域とリードアウト領域のいずれか又は双方に記録されたデータの再生のための第１の再生処理方法を適用する段階をさらに有することを特徴とする請求項１０に記載の高密度光ディスクの再生又は記録方法。
【請求項１２】
（ｃ）前記読み込んだ情報に基づいて、前記ユーザーデータ領域に記録されたデータの最小マーク又は最小スペースが長さがリードイン領域とリードアウト領域のいずれか又は双方に記録されたデータの最小マーク又は最小スペースより短い場合、ユーザーデータ領域に記録されたデータの再生のための第２の再生処理方法を適用する段階をさらに含むことを特徴とする請求項１０に記載の高密度光ディスクの再生又は記録方法。
【請求項１３】
前記特定領域はＢＣＡであることを特徴とする請求項１０に記載の高密度光ディスクの再生又は記録方法。
【請求項１４】
光記録媒体に情報を記録する方法において、
（ａ）前記ユーザーデータ領域に、制御器からの制御信号によってデータを記録する段階と、
（ｂ）前記ユーザーデータ領域以外の特定領域に、前記ユーザーデータ領域に記録されたデータの再生を制御するための第１制御情報を記録する段階とを含み、
前記制御情報は前記ユーザーデータ領域に記録されたマーク又はスペースの最小長さを指示する情報を含むことを特徴とする方法。
【請求項１５】
（ｃ）前記リードイン領域とリードアウト領域のいずれか又は双方に、前記ユーザーデータ領域に記録されたデータの再生を制御するための第２制御情報を記録する段階をさらに含む請求項１４記載の方法。
【請求項１６】
前記特定領域はリードイン領域より内側にあるＢＣＡであることを特徴とする請求項１４に記載の方法。
【請求項１７】
前記制御情報は前記リードイン領域又はリードアウト領域の最小マーク又は最小スペースを示す情報をさらに含むことを特徴とする請求項１４に記載の方法。
【請求項１８】
前記制御情報は前記リードイン領域又はリードアウト領域で使用された変調方法を示すための情報をさらに含むことを特徴とする請求項１４に記載の方法。
【請求項１９】
リードイン領域とリードアウト領域のいずれか又は双方と、
ユーザーデータ領域と
を有し、前記リードイン領域に形成されたマークとスペースの長さが前記ユーザーデータ領域に記録された又は記録するマークとスペースの長さより長く、かつ、
ユーザーデータ領域に記録された又は記録されるマーク又はスペースが、そのマーク又はスペースを含むデータがビタビデコーダを用いて再生されるように形成されていることを特徴とする記録媒体。
【請求項２０】
リードイン領域とリードアウト領域のいずれか又は双方の最小マーク又は最小スペースの長さがユーザーデータ領域の最小マーク又は最小スペースの長さに対して少なくとも２倍であることを特徴とする請求項１９に記載の記録媒体。
【請求項２１】
リードイン領域とリードアウト領域のいずれか又は双方の最小マーク又は最小スペースがビタビデコーダを用いて読むことができないことを特徴とする請求項１９に記載の記録媒体。
【請求項２２】
前記リードイン領域とリードアウト領域のいずれか又は双方に記録されたデータの最小マーク又は最小スペースがレーザービームスポットの有効直径より長いかあるいは同じであることを特徴とする請求項１９に記載の記録媒体。
【請求項２３】
前記リードイン領域とリードアウト領域のいずれか又は双方の光伝達関数がユーザーデータ領域の光伝達関数と異なることを特徴とする請求項１９に記載の記録媒体。
【請求項２４】
前記リードイン領域とリードアウト領域のいずれか又は双方及びユーザーデータ領域のマーク又はスペースが波長（λ）４０５ｎｍのレーザービームを有する光ピックアップによって書き込まれるか又は読み出されることを特徴とする請求項１９に記載の記録媒体。
【請求項２５】
前記リードイン領域とリードアウト領域のいずれか又は双方に記録されたデータの最小マーク又は最小スペースに関する情報を格納する特定領域をさらに含むことを特徴とする請求項１９に記載の記録媒体。
【請求項２６】
前記特定領域がＢＣＡ領域であることを特徴とする請求項２７に記載の記録媒体。
【請求項２７】
記録媒体にデータを記録する方法において、
（ａ）光記録媒体にマーク又はスペースを形成できるように、ユーザーデータ領域に記録するデータを処理する段階であって、そのユーザーデータ領域に記録するマーク又はスペースの長さが、リードイン領域とリードアウト領域のいずれか又は双方のマーク又はスペースの長さより短い、処理する段階と、
（ｂ）その処理されたデータをユーザーデータ領域に記録する段階と
を有することを特徴とする方法。
【請求項２８】
（ｃ）前記段階（ａ）において記録されるデータを処理する処理方法をそのデータが記録される位置に基づいて選択することを特徴とする請求項２７に記載の方法。
【請求項２９】
前記段階（ｃ）でＰＲＭＬ技法を含む第１処理ブロックを選択することを特徴とする請求項２８に記載の方法。
【請求項３０】
前記段階（ｃ）で、データがＰＲＭＬ技法によって再生されるように前記第１処理ブロックを選択することを特徴とする請求項２８に記載の方法
【請求項３１】
前記段階（ａ）は、記録されたデータを再生するときビタビデコーダを用いてデータが再生されるようにデータを処理することを特徴とする請求項２７に記載の方法。
【請求項３２】
前記段階（ａ）は、記録されたデータを再生するときＰＲＭＬ技法を用いてデータが再生されるようにデータを処理することを特徴とする請求項２７記載の方法。
【請求項３３】
前記段階（ａ）は、前記リードイン領域とリードアウト領域のいずれか又は双方の変調方法と異なる変調方法を用いてデータを処理することを特徴とする請求項２７記載の方法。
【請求項３４】
記録媒体からデータを読み出す方法において、
（ａ）リードイン領域又はユーザーデータ領域に記録されたデータを読み出すための指令を受け取る段階であって、前記リードイン領域に記録されたデータのマーク又はスペースの長さは前記ユーザーデータ領域に記録されたデータのマーク又はスペースの長さと異なる、受け取る段階と、
（ｂ）前記リードイン領域とユーザーデータ領域に記録されたデータの一つを読み出すための処理ブロックを前記指令に基づいて選択する段階と
を有することを特徴とする方法。
【請求項３５】
前記指令がユーザーデータ領域に記録されたデータを読み出すものであれば、前記段階（ｂ）で、ビタビデコーダを含む第１処理ブロックを選択する請求項３４に記載の方法。
【請求項３６】
前記指令がリードイン領域に記録されたデータを読み出すものであれば、前記段階（ｂ）で、少なくともビ前記タビデコーダを含まない第２処理ブロックを選択する請求項３４記載の方法。
【請求項３７】
前記指令がユーザーデータ領域に記録されたデータを読み出すものであれば、前記段階（ｂ）で、ＰＲＭＬのための第１処理方法を選択する請求項３４記載の方法。
【請求項３８】
前記指令がリードイン領域に記録されたデータを読み出すものであれば、前記段階（ｂ）で、少なくとも前記ＰＲＭＬのための処理を含まない第２処理方法を選択する請求項３４に記載の方法。
【請求項３９】
記録媒体からデータを読み出す方法において、
（ａ）特定領域に記録された制御情報に基づいて、制御データ領域とユーザーデータ領域とに記録されたそれぞれのマークとスペースが互いに異なるかどうかを決定する段階と、
（ｂ）前記段階（ａ）の結果に基づいてデータ処理方法を決める段階と
を有することを特徴とする方法。
【請求項４０】
前記段階（ａ）で、前記制御データ領域とユーザーデータ領域とに記録されたマークとスペースが互いに異なると決定すると、前記段階（ｂ）はビタビデコード技法を含む第１データ処理方法に決めることを特徴とする請求項３９記載の方法。
【請求項４１】
記録媒体からデータを読み出す方法において、
（ａ）読み出すデータが含まれている領域を識別する段階であって、ユーザーデータ領域に記録されたマーク又はスペースの長さがリードイン領域とリードアウト領域のいずれか又は双方に記録されたマーク又はスペースの長さと異なっている、識別する段階と、
（ｂ）前記段階（ａ）の結果、その領域がユーザーデータ領域と識別されると、ビタビデコーダを用いてユーザーデータ領域に記録されたデータを処理する段階と
を有することを特徴とする方法。
【請求項４２】
（ｃ）前記段階（ａ）で前記領域がリードイン領域とリードアウト領域のいずれか又は双方であると識別されると、ビタビデコード技法以外の代わりの方法を用いてリードイン領域とリードアウト領域のいずれか又は双方に記録されたデータを処理することをさらに含むこと特徴とする請求項４１記載の方法。
【請求項４３】
（ｄ）前記ユーザデータ領域の光伝達関数が前記リードイン領域とリードアウト領域のいずれか又は双方の光伝達関数と異なっており、前記ユーザーデータ領域の光伝達関数に従ってデータの読み取りを制御することをさらに含むことを特徴とする請求項４１に記載の方法。
【請求項４４】
（ａ）リードイン領域又はユーザーデータ領域に記録されたデータを処理するための少なくとも二つの処理ブロックを含み、少なくともその内の一つの処理ブロックはＰＲＭＬのための処理ブロックである信号処理部と、
（ｂ）前記リードイン領域又はユーザーデータ領域のそれぞれに記録されたデータを処理するための前記信号処理部の二つの処理ブロックの一つを選択するために信号処理部を制御する制御部と
を有することを特徴とする記録媒体からデータを読み出す装置。
【請求項４５】
前記制御部が、前記ユーザーデータ領域に記録されたデータを処理するために、ＰＲＭＬのためのブロックを含む第１処理ブロックを選択することを特徴とする請求項４４記載の装置。
【請求項４６】
前記ＰＲＭＬのためのブロックがビタビデコーダを含むことを特徴とする請求項４５記載の装置。
【請求項４７】
前記制御部が、前記リードイン領域に記録されたデータを処理するために、少なくともＰＲＭＬのためのブロックを含まない第２処理ブロックを選択することを特徴とする請求項４４記載の装置。
【請求項４８】
前記ユーザデータ領域の光伝達関数が前記リードイン領域とリードアウト領域のいずれか又は双方の光伝達関数と異なっており、前記制御部が、前記ユーザーデータ領域の光伝達関数に従ってデータの読み取りを制御することを特徴とする請求項４４に記載の方法。